(57)【要約】無線通信システムでの上りリンクパケット転送チャネルスケジューリング方法を提供する。上りリンクパケット転送パネルスケジューリング方法において、この上りリンク転送チャネルスケジューリングのためのスケジューリング命令を受ける端末の範囲が決定される。さらに、この決定された範囲に含まれる端末に受信されるスケジューリング命令が転送される。また、このスケジューリング命令は、端末の範囲を識別する端末ＩＤ情報と、当該スケジューリング命令に該当する情報を伝達するためのスケジューリング内容を含む。
2007531453.tif 000002
【特許請求の範囲】
【請求項１】
基地局での上りリンクパケット転送チャネルスケジューリング方法において、
前記上りリンクパケット転送チャネルをスケジューリングするためのスケジューリング命令が適用される端末の範囲を決定する段階と、
前記決定された範囲に含まれた端末にスケジューリング命令を転送する段階と、を含み、
前記スケジューリング命令は、前記端末の範囲を識別するための識別子と前記スケジューリング命令に該当する情報を伝達するためのスケジューリング内容を含むことを特徴とする、上りリンクパケット転送チャネルスケジューリング方法。
【請求項２】
前記端末の範囲は、個別端末、端末グループ及び全体端末のうち少なくとも一つを含むことを特徴とする、請求項１に記載の上りリンクパケット転送チャネルスケジューリング方法。
【請求項３】
前記上りリンクパケット転送チャネルの状態を決定する段階をさらに含み、
前記端末の範囲は、前記上りリンクパケット転送チャネルの状態によって決定されることを特徴とする、請求項１に記載の上りリンクパケット転送チャネルスケジューリング方法。
【請求項４】
前記上りリンクパケット転送チャネルの状態は、基地局での熱雑音電力に対する受信信号電力（Ｒｉｓｅ  ｏｖｅｒ  Ｔｈｅｒｍａｌ：ＲｏＴ）を用いて決定されることを特徴とする、請求項１に記載の上りリンクパケット転送チャネルスケジューリング方法。
【請求項５】
前記ＲｏＴ値を少なくとも一つ以上の既に設定された臨界値と比較することを特徴とする、請求項４に記載の上りリンクパケット転送チャネルスケジューリング方法。
【請求項６】
前記スケジューリング命令は、前記ＲｏＴ値が第１臨界値よりも大きいまたは等しい場合に、各個別端末に転送されることを特徴とする、請求項５に記載の上りリンクパケット転送チャネルスケジューリング方法。
【請求項７】
前記スケジューリング命令は、前記ＲｏＴ値が前記第１臨界値よりも小さく、かつ、第２臨界値よりも大きいまたは等しい場合に、特定グループの端末に転送されることを特徴とする、請求項５に記載の上りリンクパケット転送チャネルスケジューリング方法。
【請求項８】
前記ＲｏＴ値が前記第２臨界値よりも小さい場合に、同じスケジューリング命令が全体端末に転送されることを特徴とする、請求項５に記載の上りリンクパケット転送チャネルスケジューリング方法。
【請求項９】
前記スケジューリング内容は、前記上りリンクパケット転送チャネルのための具体的な電力量を割り当てるためのスケジューリングされた電力（ｓｃｈｅｄｕｌｅｄ  ｐｏｗｅｒ）情報を含むことを特徴とする、請求項１に記載の上りリンクパケット転送チャネルスケジューリング方法。
【請求項１０】
前記スケジューリング内容は、有効なスケジューリング割り当て区間（ｄｕｒａｔｉｏｎ）の長さを決定するための区間情報を含むことを特徴とする、請求項１に記載の上りリンクパケット転送チャネルスケジューリング方法。
【請求項１１】
前記スケジューリング内容は、前記スケジューリング命令によって前記上りリンクパケット転送チャネル転送の特定限界を定めるための優先順位（ｐｒｉｏｒｉｔｙ）情報を含むことを特徴とする、請求項８に記載の上りリンクパケット転送チャネルスケジューリング方法。
【請求項１２】
前記上りリンクパケット転送チャネルは、Ｅ−ＤＣＨ（Ｅｎｈａｎｃｅｄ  Ｄｅｄｉｃａｔｅｄ  ＣＨａｎｎｅｌ）であることを特徴とする、請求項１に記載の上りリンクパケット転送チャネルスケジューリング方法。
【請求項１３】
前記スケジューリング命令は、前記上りリンクパケット転送チャネルでの転送を受諾するか拒否するかに対する情報を含むことを特徴とする、請求項１に記載の上りリンクパケット転送チャネルスケジューリング方法。
【請求項１４】
Ｅ−ＡＧＣＨ（Ｅｎｈａｎｃｅｄ  Ａｂｓｏｌｕｔｅ  Ｇｒａｎｔ  Ｃｈａｎｎｅｌ）の共有チャネルを介して個別端末、特定グループの端末及び全体端末のうち少なくとも一つに前記スケジューリング命令を転送する段階をさらに含み、
前記スケジューリング命令は、前記チャネルを共有する個別端末、特定グループの端末及び全体端末のうち少なくとも一つによって受信されてデコーディングされることを特徴とする、請求項１に記載の上りリンクパケット転送チャネルスケジューリング方法。
【請求項１５】
Ｅ−ＲＧＣＨ（Ｅｎｈａｎｃｅｄ  Ｒｅｌａｔｉｖｅ  Ｇｒａｎｔ  Ｃｈａｎｎｅｌ）の既に設定された転送チャネルによって特定端末に前記スケジューリング命令を転送する段階をさらに含み、
前記特定端末は、前記既に設定された転送チャネルに対応することを特徴とする、請求項１に記載の上りリンクパケット転送チャネルスケジューリング方法。
【請求項１６】
前記スケジューリング命令は、多数の端末のそれぞれに対応する多数の既に設定された転送チャネルを通じて前記多数の端末に転送されることを特徴とする、請求項１５に記載の上りリンクパケット転送チャネルスケジューリング方法。
【請求項１７】
端末での上りリンクパケット転送チャネルスケジューリング方法において、
基地局から転送されたスケジューリング命令に対する端末の範囲を識別するための識別子、及び前記スケジューリング命令に該当する情報を伝達するためのスケジューリング内容を含むスケジューリング命令を受信する段階と、
前記スケジューリング命令によって前記上りリンクパケット転送チャネルを介してパケットを転送する段階と、
を含む上りリンクパケット転送チャネルスケジューリング方法。
【請求項１８】
前記端末の範囲は、個別端末、端末グループ及び全体端末のうち少なくとも一つを含むことを特徴とする、請求項１７に記載の上りリンクパケット転送チャネルスケジューリング方法。
【請求項１９】
前記スケジューリング内容は、前記上りリンクパケット転送チャネルのための具体的な電力量を割り当てるためのスケジューリングされた電力（ｓｃｈｅｄｕｌｅｄ  ｐｏｗｅｒ）情報を含むことを特徴とする、請求項１７に記載の上りリンクパケット転送チャネルスケジューリング方法。
【請求項２０】
前記スケジューリング内容は、有効なスケジューリング割り当て区間（ｄｕｒａｔｉｏｎ）の長さを決定するための区間情報を含むことを特徴とする、請求項１７に記載の上りリンクパケット転送チャネルスケジューリング方法。
【請求項２１】
前記スケジューリング内容は、前記スケジューリング命令によって前記上りリンクパケット転送チャネル転送の特定限界を定めるための優先順位（ｐｒｉｏｒｉｔｙ）情報を含むことを特徴とする、請求項１７に記載の上りリンクパケット転送チャネルスケジューリング方法。
【請求項２２】
前記上りリンクパケット転送チャネルは、Ｅ−ＤＣＨ（Ｅｎｈａｎｃｅｄ  Ｄｅｄｉｃａｔｅｄ  ＣＨａｎｎｅｌ）であることを特徴とする、請求項１７に記載の上りリンクパケット転送チャネルスケジューリング方法。
【請求項２３】
前記スケジューリング命令は、前記上りリンクパケット転送チャネルでの転送を受諾すか拒否するかに対する情報を含むことを特徴とする、請求項１７に記載の上りリンクパケット転送チャネルスケジューリング方法。
【請求項２４】
Ｅ−ＡＧＣＨ（Ｅｎｈａｎｃｅｄ  Ａｂｓｏｌｕｔｅ  Ｇｒａｎｔ  Ｃｈａｎｎｅｌ）のチャネルを共有する各端末が、少なくとも一つの端末識別子を有することを特徴とする、請求項１７に記載の上りリンクパケット転送チャネルスケジューリング方法。
【請求項２５】
少なくとも一つの端末識別子が各個別端末、特定グループの端末及び全体端末のうち少なくとも一つに適用されることを特徴とする、請求項２４に記載の上りリンクパケット転送チャネルスケジューリング方法。
【請求項２６】
無線通信システムでの上りリンクパケット転送チャネルスケジューリング方法において、
前記上りリンクパケット転送チャネルをスケジューリングするためのスケジューリング命令が適用される端末の範囲を決定する段階と、
前記決定された範囲に含まれた端末に、前記スケジューリング命令を転送する段階と、
基地局から転送された前記スケジューリング命令を受信する段階と、
前記スケジューリング命令に応じて、前記上りリンクパケット転送チャネルを介してパケットを転送する段階と、を含み、
前記スケジューリング命令は、前記端末の範囲を識別する識別子及び前記スケジューリング命令に該当する情報を伝達するためのスケジューリング内容を含むことを特徴とする、上りリンクパケット転送チャネルスケジューリング方法。
【請求項２７】
前記端末の範囲は、個別端末、端末グループ及び全体端末のうち少なくとも一つを含むことを特徴とする、請求項２６に記載の上りリンクパケット転送チャネルスケジューリング方法。
【請求項２８】
前記上りリンクパケット転送チャネルの状態を決定する段階をさらに含み、
前記端末の範囲は、前記上りリンクパケット転送チャネルの状態によって決定されることを特徴とする、請求項２６に記載の上りリンクパケット転送チャネルスケジューリング方法。
【請求項２９】
前記前記上りリンクパケット転送チャネルの状態は、基地局での熱雑音電力に対する受信信号電力（Ｒｉｓｅ  ｏｖｅｒ  Ｔｈｅｒｍａｌ：ＲｏＴ）を用いて決定されることを特徴とする、請求項２６に記載の上りリンクパケット転送チャネルスケジューリング方法。
【請求項３０】
前記ＲｏＴ値を、少なくとも一つ以上の既に設定された臨界値と比較することを特徴とする、請求項２９に記載の上りリンクパケット転送チャネルスケジューリング方法。
【請求項３１】
前記スケジューリング命令は、前記ＲｏＴ値が第１臨界値よりも大きいまたは等しい場合に、各個別端末に転送されることを特徴とする、請求項３０に記載の上りリンクパケット転送チャネルスケジューリング方法。
【請求項３２】
前記スケジューリング命令は、前記ＲｏＴ値が前記第１臨界値よりも小さく、かつ、第２臨界値よりも大きいまたは等しい場合に、特定グループの端末に転送されることを特徴とする、請求項３０に記載の上りリンクパケット転送チャネルスケジューリング方法。
【請求項３３】
前記ＲｏＴ値が前記第２臨界値よりも小さい場合に、同じスケジューリング命令が全体端末に転送されることを特徴とする、請求項３０に記載の上りリンクパケット転送チャネルスケジューリング方法。
【請求項３４】
前記スケジューリング内容は、前記上りリンクパケット転送チャネルのための具体的な電力量を割り当てるためのスケジューリングされた電力（ｓｃｈｅｄｕｌｅｄ  ｐｏｗｅｒ）情報を含むことを特徴とする、請求項２６に記載の上りリンクパケット転送チャネルスケジューリング方法。
【請求項３５】
前記スケジューリング内容は、有効なスケジューリング割り当て区間（ｄｕｒａｔｉｏｎ）の長さを決定するための区間情報を含むことを特徴とする、請求項２６に記載の上りリンクパケット転送チャネルスケジューリング方法。
【請求項３６】
前記スケジューリング内容は、前記スケジューリング命令によって前記上りリンクパケット転送チャネル転送の特定限界を定めるための優先順位（ｐｒｉｏｒｉｔｙ）情報を含むことを特徴とする、請求項２６に記載の上りリンクパケット転送チャネルスケジューリング方法。
【請求項３７】
前記上りリンクパケット転送チャネルは、Ｅ−ＤＣＨ（Ｅｎｈａｎｃｅｄ  Ｄｅｄｉｃａｔｅｄ  ＣＨａｎｎｅｌ）であることを特徴とする、請求項２６に記載の上りリンクパケット転送チャネルスケジューリング方法。
【請求項３８】
前記スケジューリング命令は、前記上りリンクパケット転送チャネルでの転送を受諾するか拒否するかに対する情報を含むことを特徴とする、請求項２６に記載の上りリンクパケット転送チャネルスケジューリング方法。
【請求項３９】
Ｅ−ＡＧＣＨ（Ｅｎｈａｎｃｅｄ  Ａｂｓｏｌｕｔｅ  Ｇｒａｎｔ  Ｃｈａｎｎｅｌ）の共有チャネルを介して個別端末、特定グループの端末及び全体端末のうち少なくとも一つに前記スケジューリング命令を転送する段階をさらに含み、
前記スケジューリング命令は、前記チャネルを共有する個別端末、特定グループの端末及び全体端末のうち少なくとも一つによって受信されてデコーディングされることを特徴とする、請求項２６に記載の上りリンクパケット転送チャネルスケジューリング方法。
【請求項４０】
Ｅ−ＲＧＣＨ（Ｅｎｈａｎｃｅｄ  Ｒｅｌａｔｉｖｅ  Ｇｒａｎｔ  Ｃｈａｎｎｅｌ）の既に設定された転送チャネルによって特定端末に前記スケジューリング命令を転送する段階をさらに含み、
前記特定端末は、前記既に設定された転送チャネルに対応することを特徴とする、請求項２６に記載の上りリンクパケット転送チャネルスケジューリング方法。
【請求項４１】
前記スケジューリング命令は、多数の端末のそれぞれに対応する多数の既に設定された転送チャネルを介して前記多数の端末に転送されることを特徴とする、請求項４０に記載の上りリンクパケット転送チャネルスケジューリング方法。
【請求項４２】
Ｅ−ＡＧＣＨ（Ｅｎｈａｎｃｅｄ  Ａｂｓｏｌｕｔｅ  Ｇｒａｎｔ  Ｃｈａｎｎｅｌ）のチャネルを共有する各端末が、少なくとも一つの端末識別子を有することを特徴とする、請求項２６に記載の上りリンクパケット転送チャネルスケジューリング方法。
【請求項４３】
少なくとも一つの端末識別子が各個別端末、特定グループの端末及び全体端末のうち少なくとも一つに適用されることを特徴とする、請求項４２に記載の上りリンクパケット転送チャネルスケジューリング方法。
【発明の詳細な説明】
【技術分野】
【０００１】
本発明は、無線パケット通信システムに係り、より具体的には、無線パケット通信システムでの上りリンクパケットスケジューリング方法に関する。本発明は、多様な場合に適用可能であるが、特に、特定グループ加入者または全体加入者にスケジューリング情報を転送する場合に適用されることができる。
【背景技術】
【０００２】
移動通信システムを含めた無線パケット通信システムにおいて、上りリンク（ｕｐ  ｌｉｎｋ）の高速化及び容量増大への要求に応じて、端末機から基地局へデータを送信する上りリンクにおける高速パケット通信方式に対する論議が活発になされている。
【０００３】
３ＧＰＰ  ＷＣＤＭＡ無線移動通信システムで論議されているＥ−ＤＣＨ（Ｅｎｈａｎｃｅｄ  ｕｐ  ｌｉｎｋ  Ｄｅｄｉｃａｔｅｄ  ＣＨａｎｎｅｌ）技術がその代表である。
【０００４】
Ｅ−ＤＣＨ技術では、既存の３ＧＰＰ  ＷＣＤＭＡ上りリンクＤＣＨ（ｄｅｄｉｃａｔｅｄ  ｃｈａｎｎｅｌ）に基地局（Ｎｏｄｅ  Ｂ）による上りリンクパケットスケジューリング、物理階層でのＨＡＲＱ（Ｈｙｂｒｉｄ  ＡＲＱ）などの技術を導入して上りリンクの効率向上を試みる。特に、基地局（Ｎｏｄｅ  Ｂ）スケジューリング時に毎スケジューリング命令を效率的に構成することによって、システム処理率を向上させることができる。
【０００５】
既存の３ＧＰＰ  ＷＣＤＭＡＥ−ＤＣＨに適用可能な技術の一つに、基地局制御スケジューリング（Ｎｏｄｅ  Ｂ  ｃｏｎｔｒｏｌｌｅｄ  ｓｃｈｅｄｕｌｉｎｇ）方式がある。現在まで進行された標準化内容によれば、基地局スケジューリング命令を転送するチャネルは、時間分割多重化（ＴＤＭ）、コード分割多重化（ＣＤＭ）または時間及びコード分割多重化を使用する予定である（ＨＳＤＰＡと類似）。この場合、各端末（Ｕｓｅｒ  Ｅｑｕｉｐｍｅｎｔ：ＵＥ）に転送されるスケジューリング命令は、基本的に、ＵＥ区分情報（端末ＩＤ）とスケジューリング内容を含むことになる。
【０００６】
端末は、スケジューリング命令転送に使用される下りリンク（ｄｏｗｎ  ｌｉｎｋ）チャネルを調査し、端末ＩＤによって自分に伝達されたスケジューリング命令であることが確認されると、スケジューリング内容を獲得し、獲得されたスケジューリング内容の指示に応じて転送を開始、中断または留保する。このように、スケジューリング命令は、基地局から各端末に個別に転送されるため、特定グループの端末や全体端末に同じスケジューリング情報を転送する場合にも多い時間とチャネルが要求される。
【０００７】
すなわち、前述したように、スケジューリング命令は、時間分割、コード分割または時間及びコード分割方式によって各端末に個別に伝達される。
【０００８】
結論的に言えば、物理階層（Ｌａｙｅｒ  １）次元で特定端末グループや全体端末に緊急なスケジューリング命令を転送する上で問題点がある。また、このような個別端末転送方法を使用する場合、物理階層次元で上りリンクトラフィックの急激な増加から混雑状況が起きることがあり、そのような場合に速かに対処し難いという問題点があった。
【発明の開示】
【発明が解決しようとする課題】
【０００９】
本発明は、上記従来技術の限界と不利な点に伴う少なくとも一つの問題点を解決するための無線通信システムで上りリンクパケット転送チャネルスケジューリング方法を提示する。
【００１０】
本発明の目的は、無線通信システムの基地局で上りリンクパケット転送チャネルスケジューリング方法を提供することにある。
【００１１】
本発明の他の目的は、通信混雑問題を效果的に解決するために上りリンクパケット転送チャネルをスケジューリングする方法を提供することにある。
【００１２】
本発明のさらに他の目的は、個別端末だけでなく、特定端末グループ及び全体端末にスケジューリング命令を転送するために上りリンクパケット転送チャネルをスケジューリングする方法を提供することにある。
【課題を解決するための手段】
【００１３】
上記目的を達成するの本発明の一様相として、地局での上りリンクパケット転送チャネルスケジューリング方法が提供される。該上りリンクパケット転送パネルスケジューリング方法において、この上りリンク転送チャネルスケジューリングのためのスケジューリング命令を受ける端末の範囲が決定される。さらに、この決定された範囲に含まれる端末に受信されるスケジューリング命令が転送される。また、このスケジューリング命令は、端末の範囲を識別する端末ＩＤ情報と、当該スケジューリング命令に該当する情報を伝達するためのスケジューリング内容を含む。
【００１４】
本発明の他の様相として、個別端末に対する上りリンクパケット転送チャネルスケジューリング方法が提供される。該上りリンクパケット転送チャネルスケジューリング方法において、端末は、基地局から転送されたスケジューリング命令を受信する。このスケジューリング命令は、スケジューリング命令のための端末の範囲を識別するための端末ＩＤ情報を含む。また、当該スケジューリング命令は、スケジューリング命令に該当する情報を伝達するためのスケジューリング内容及びスケジューリング命令によって上りリンクパケット転送チャネルを介してパケットを転送するためのスケジューリング内容を含む。
【発明の効果】
【００１５】
本発明によれば、基地局でチャネル状況を考慮してパケットの転送を許容するか否かを判断して端末に知らせるため、チャネルでの不必要な混雑状況発生や資源不足などの問題点を緩和させ、全体システムの効率を向上させることが可能になる。
【発明を実施するための最良の形態】
【００１６】
以下、本発明の好適な実施例を、添付の図面を参照しつつ詳細に説明する。図面中、同一の構成要素には、可能な限り同一の参照符号及び番号を共通使用するものとする。
【００１７】
本発明の好適な実施例は、Ｅ−ＤＣＨ（Ｅｎｈａｎｃｅｄ  ｕｐｌｉｎｋ  Ｄｅｄｉｃａｔｅｄ  ＣＨａｎｎｅｌ）と関連して説明しているが、本発明は、任意の無線パケット通信システムにも適用可能である。
【００１８】
個別端末にスケジューリング命令を転送するために、基地局（Ｎｏｄｅ  Ｂ）は、Ｅ−ＡＧＣＨ（Ｅｎｈａｎｃｅｄ  Ａｂｓｏｌｕｔｅ  Ｇｒａｎｔ  ＣＨａｎｎｅｌ）の下りリンク（ｄｏｗｎｌｉｎｋ）チャネルを用いる。すなわち、基地局は、各端末が許容された転送パワーまたは転送データレートレベルで転送するよう命令を転送する。該命令を、以下、上りリンクスケジューリング命令またはスケジューリング命令とも言う。
【００１９】
当該Ｅ−ＡＧＣＨにおいて、基地局のスケジューリング命令のための下りリンク転送で使用される各フレームは、端末識別子（ＩＤ）とスケジューリング内容を含む。該端末ＩＤは、当該上りリンクパケット転送のためにスケジューリング命令を受信する端末を識別するのに用いられる。
【００２０】
このスケジューリング内容は、スケジューリングされた電力（ｓｃｈｅｄｕｌｅｄ  ｐｏｗｅｒ）、区間（ｄｕｒａｔｉｏｎ）及び優先順位（ｐｒｉｏｒｉｔｙ）などの種々の情報を含む。ここで、スケジューリングされた電力（ｐｏｗｅｒ）情報（‘レート（ｒａｔｅ）’とも呼ばれる。）は、上りリンクパケット転送において転送のために割り当てられうる最大電力量と定義される。区間（ｄｕｒａｔｉｏｎ）情報は、各端末に有効なスケジューリング命令がどれくらい持続するかを表す。なお、優先順位（ｐｒｉｏｒｉｔｙ）情報は、上りリンクパケット転送に対する特定制限を意味する。例えば、アルファベットＡから順に転送の高い優先順位を表す場合、仮に、基地局がＣの優先順位で第１端末にスケジューリング命令を転送すると、第１端末の転送時点に第１端末が転送する。すなわち、第１端末は、Ｃ優先順位を有する端末が転送する時点に転送する。また、各スケジューリング命令は、端末ＩＤ、スケジューリングされた電力及び優先順位、または、端末ＩＤ、スケジューリングされた電力及び区間のように上記情報の任意の組み合わせを含むことができる。
【００２１】
Ｅ−ＡＧＣＨにおいて、基地局は、共有チャネルを介してスケジューリング命令を個別端末、特定グループに属する端末、または、全体端末に転送できる。これらチャネルを共有する端末は、当該転送されたスケジューリング命令を受信しデコーディングする。該受信及びデコーディングを行った後に、当該スケジューリング命令の転送パケットに含まれた端末ＩＤ情報によって、スケジューリング命令が該当するＩＤの端末によって行われる。例えば、第１端末乃至第４端末の４つの端末があるとする。この場合、基地局（Ｎｏｄｅ  Ｂ）は、共有チャネルを介してスケジューリング命令を４つの端末に転送する。該スケジューリング命令は、第１端末のみのためのものであろう。これら４つの端末がいずれもスケジューリング命令を受信及びデコーディングし、どの端末のためのスケジューリング命令かを識別する。該転送されたスケジューリング命令のパケットには、第１端末にのみ相応する端末ＩＤ情報が含まれている。したがって、当該スケジューリング命令は、第１端末によってのみ行われるわけである。これは、端末グループについても適用可能である。
【００２２】
また、Ｅ−ＡＧＣＨにおいて、各端末は一つ以上の端末識別子を有することができる。各端末は、これら各端末のためのスケジューリング命令に相応する識別子、及び基地局から転送された初期スケジューリング命令を受信した他の端末によって伝達されるスケジューリング命令に相応する他の識別子を含む。すなわち、基地局から転送されたスケジューリング命令に従うための端末識別子だけでなく、チャネルを共有する他の端末が伝達するスケジューリング命令に従うための他の端末識別子を含む。当該スケジューリング命令を伝達することによって基地局と端末間のチャネル転送量を減らし、最小化できる。一つの端末が有しうる識別子の数は、上記説明された２種類の識別子に制限されず、多様な目的に応じてより多くを有しても良い。
【００２３】
より詳細に説明すると、例えば、上記端末が、基地局から転送した第４端末のためのスケジューリング情報を受信しデコーディングすると、第４端末は、上記チャネルを共有する全ての端末（すなわち、第１端末、第２端末、第３端末及び第４端末）に、当該スケジューリング命令を伝達するように指示される。この時、スケジューリング命令は、基地局ではなく上記初期命令を受信した他の端末から伝達されたものである。第４端末から伝達されたスケジューリング命令を受信した場合、当該チャネルを共有する他の端末はいずれも、基地局から命令を受信した場合と同様に、当該命令を受信しデコーディングする。ここで、スケジューリング命令は、遂行する第１端末、第２端末及び第４端末を識別する。各端末が他の端末識別子を含むことによって、基地局は、一つの端末に多数の端末のためのスケジューリング命令を指示し、該端末が他の端末に当該スケジューリング命令を伝達することによって、同じスケジューリング命令の転送を最小化することができる。
【００２４】
Ｅ−ＲＧＣＨ（Ｅｎｈａｎｃｅｄ  Ｒｅｌａｔｉｖｅ  Ｇｒａｎｔ  ＣＨａｎｎｅｌ）は、Ｅ−ＡＧＣＨとは違い、基地局が既に設定された転送チャネルを有し、このチャネルを介して当該スケジューリング命令を転送する。Ｅ−ＲＧＣＨにおいて、スケジューリング命令は、少なくとも１ビットからなり、転送パケット情報に端末ＩＤは含まれない。具体的に、既に設定されたチャネルを介してスケジューリング命令を受信した端末は、該命令を読み取って遂行する。例えば、第１端末乃至第４端末の４つの端末があると仮定する。基地局は、第１端末にのみ適用されるスケジューリング命令語を、第１端末にのみ転送する。転送チャネルが既に設定されたため、他の端末には当該スケジューリング命令が転送されないわけである。
【００２５】
なお、Ｅ−ＲＧＣＨにおいて、一度に一つの端末にのみ当該スケジューリング命令が転送されるように制限されるのではない。すなわち、多数の端末のための同じスケジューリング命令を転送するための多数のチャネルを既に設定しても良い。この例について説明すると、もし、基地局が第１端末と第２端末に同じスケジューリング命令を転送すべく第１チャネルと第２チャネルをそれぞれ既に設定した場合、当該同じスケジューリング命令は、他の端末（第３端末及び第４端末）には転送されず、第１端末と第２端末にのみ転送される。そして、第１端末と第２端末のみが当該スケジューリング命令を受信し遂行する。
【００２６】
以上で説明したように、Ｅ−ＡＧＣＨとＥ−ＲＧＣＨとの差異点は明確である。Ｅ−ＡＧＣＨの場合、スケジューリング命令が指示される端末にかかわらず、当該チャネルを共有する全体端末が当該スケジューリング命令を受信する。しかし、当該スケジューリング命令で指定されるＩＤに相応するＩＤを有する端末にのみ該スケジューリング命令が適用される。Ｅ−ＲＧＣＨの場合、基地局によって転送チャネルがあらかじめ設定され、既に設定されたチャネルに該当する端末のみが当該スケジューリング命令を受信する。基地局によって既に設定されなかった端末は、当該スケジューリング命令を受信しない。
【００２７】
本発明の実施例を、Ｅ−ＡＧＣＨと関連してより詳細に説明すると、次の通りである。基地局（Ｎｏｄｅ  Ｂ）は、スケジューリング割り当てチャネルＣｈ−１〜Ｃｈ−ｎを用いてコード分割、時分割またはコード及び時分割兼用方式によってスケジューリング命令を端末（ＵＥ）に転送する。当該スケジューリング命令は、スケジューリング内容及び個別端末の端末ＩＤまたは、特定グループの端末ＩＤを含む、または、全体ＵＥが受信できるＩＤを含んで構成される。具体的に、スケジューリング内容は、基地局スケジューラが各端末に指示する内容で、パケット転送電力（Ｔｘ＿Ｐｏｗｅｒ）、ＴＦＣ（Ｔｒａｎｓｍｉｔ  Ｆｏｒｍａｔ  Ｃｏｍｂｉｎａｔｉｏｎ）、パケット転送時間のような内容などを含むことができる。既述したように、端末ＩＤは、スケジューリング命令が伝達される端末またはグループを区分するための識別子（ｉｄｅｎｔｉｆｉｅｒ）である。
【００２８】
端末に転送されるスケジューリング命令を決定するための基地局の動作について説明する。基地局（Ｎｏｄｅ  Ｂ）は、スケジューリング命令の転送時間間隔（ＴＴＩ：Ｔｒａｎｓｍｉｔ  Ｔｉｍｅ  Ｉｎｔｅｒｖａｌ）ごとにパケットの転送される上りリンクチャネルの状況を把握する。上りリンクチャネルの状況を把握できる方法としては、信号対雑音比（Ｓｉｇｎａｌ−ｔｏ−Ｎｏｉｓｅ  Ｒａｔｉｏ：ＳＮＲ）、信号対騒音及び干渉比（Ｓｉｇｎａｌ−ｔｏ−Ｉｎｔｅｆｅｒｅｎｃｅ−ｐｌｕｓ−Ｎｏｉｓｅ  Ｒａｔｉｏ：ＳＩＮＲ）及び熱雑音電力に対する受信信号電力（Ｒｉｓｅ  ｏｖｅｒ  Ｔｈｅｒｍａｌ：ＲｏＴ）を利用することができる。以下、ＲｏＴを用いてチャネル状況を把握する場合について説明する。すなわち、基地局は、上りリンクチャネルの状況を把握してＲｏＴ値を決定する。該決定されたＲｏＴ値を、既に設定された臨界値と比較する。該臨界値は、通信システムで許容された最大ＲｏＴ値を超過しないように設定される。当該決定されたＲｏＴ値が、既に設定された臨界値を超過するか否かによって、個別端末にスケジューリングするか、特定グループ端末にスケジューリングするか、または全体端末にスケジューリングするかを決定する。たとえ上記の例では一つの臨界値を使用したが、スケジューリング命令を転送する方法を決定するに当って多数の臨界値を使用しても良い。さらに、上記のように、上りリンクチャネル状況を決定する方法において、ＲｏＴに制限されず、他の方法を使用しても良い。
【００２９】
以下、図３を参照して、二つの臨界値（ＲｏＴｔｈ１，ＲｏＴｔｈ２、ただし、ＲｏＴｔｈ１≧ＲｏＴｔｈ２である。）を設定するスケジューリング方法を例に挙げて説明する。
【００３０】
基地局は、スケジューリング命令の毎転送時間間隔（ＴＴＩ：Ｔｒａｎｓｍｉｔ  Ｔｉｍｅ  Ｉｎｔｅｒｖａｌ）ごとにＲｏＴ値を決定する（Ｓ３１）。このＲｏＴ値は、基地局の熱雑音に対する受信信号の電力を計算して決定できる。ＲｏＴ値を決定し、該決定されたＲｏＴ値をＲｏＴｔｈ１と比較する（Ｓ３２）。該ＲｏＴ値は、通常、雑音／干渉に相応する。雑音／干渉が低い場合、受信信号電力と比較される熱雑音が小さいため、ＲｏＴ値は大きく決定される。一方、もし雑音／干渉が高い場合、受信信号電力と比較される熱雑音が大きいため、ＲｏＴ値は小さく決定される。この決定されたＲｏＴ値がＲｏＴｔｈ１値より大きいまたは等しいと（ＲｏＴ≧ＲｏＴｔｈ１）、これは、低い雑音／干渉状況を意味し、スケジューリング命令を各端末に転送する（Ｓ３３）。該スケジューリング命令が転送されると、当該端末ＩＤによって受信端末を決定し、該受信端末は、当該スケジューリング内容に応じて信号を転送する。
【００３１】
もし、決定されたＲｏＴ値がＲｏＴｔｈ１値より小さいと、該決定されたＲｏＴ値をＲｏＴｔｈ２値と比較する。この決定されたＲｏＴ値が以前段階でＲｏＴｔｈ１値よりも小さいということが決定されたため、基地局（Ｎｏｄｅ  Ｂ）は、もし当該決定されたＲｏＴ値がＲｏＴｔｈ２値より大きい、または、等しいかを決定する（ＲｏＴｔｈ２≦ＲｏＴ＜ＲｏＴｔｈ１）（Ｓ３４）。すなわち、該決定されたＲｏＴ値が、ＲｏＴｔｈ１値より小さく、ＲｏＴｔｈ２値より大きいまたは等しい場合、端末ＩＤとスケジューリング内容を含むスケジューリング命令を少なくとも一つの特定端末グループに転送する（Ｓ３５）。この特定端末グループＩＤは、当該グループに含まれた端末が特定グループに指定されたスケジューリング命令を識別するために使用することができ、基地局と端末間で様々な方式により事前に設定することができる。
【００３２】
当該決定されたＲｏＴ値がＲｏＴｔｈ２よりも小さい場合（ＲｏＴ＜ＲｏＴｔｈ２）には、これは高い雑音／干渉状況による低いＲｏＴ値を意味し、スケジューリング内容及び全体端末が受信できるＩＤ情報を構成し、一つのスケジューリング命令をセル内の全ての端末に転送し、該スケジューリング内容がセル内の全端末に適用されることができる（Ｓ３６）。このＲｏＴ値を利用する方法は、上りリンクチャネル状況を決定する様々な方法の一つであり、他の方法としては、上述したＳＮＲ、ＳＩＮＲなどが使用可能である。
【００３３】
図１は、各チャネル別の異なる時間フレーム間の多数のスケジューリング割り当てチャネルを示す。ここで、各チャネルは、特定端末に対するスケジューリング命令及び全体端末に対するスケジューリング命令の他、個別端末に対するスケジューリング命令を転送できる。すなわち、異なるタイプのスケジューリング命令は異なる時間に転送される。
【００３４】
図１を参照すると、Ｃｈ−１〜Ｃｈ−ｎは、スケジューリング命令を転送するのに使用される直交可変拡散要素（ｏｒｔｈｏｇｏｎａｌ  ｖａｒｉａｂｌｅ  ｓｐｒｅａｄｉｎｇ  ｆａｃｔｏｒ：ＯＶＳＦ）コードチャネルを意味する。特に、‘ｎ’は、同時にデコーディングできる端末の数を表す。また、ＳＡｉ（ｉ＝１〜ｎ）は、ｉ番目の個別端末に転送されるスケジューリング命令、ＳＡ−Ｇｉ（ｉ＝１〜ｋ）は、ｉ番目のグループ内の端末に伝達されるように設計されたスケジューリング命令、ＳＡ−ａｌｌは、全体端末に伝達されるように設計されたスケジューリング命令を意味する。
【００３５】
図２は、多数の端末グループに含まれた端末または全体端末にスケジューリング命令を転送する様子を示す図である。上述したように、上りリンクパケット転送チャネルの雑音／干渉に基づいて基地局で決定されたスケジューリング命令は、上りリンクパケット転送を制御する。
【００３６】
図２を参照すると、基地局は、ＳＡ−Ｇ１とＳＡ−Ｇ２によって指示された特定グループに含まれたｎ個の端末に、スケジューリング命令を転送する。同時に、ＳＡ−ａｌｌによって指示されたとおりにスケジューリング命令を全体端末に転送することができる。当該スケジューリング命令には、特定端末グループまたは全体端末を指示する特定端末ＩＤとスケジューリング内容が含まれて転送される。
【００３７】
特定グループの端末に、または、各個別端末にスケジューリング命令を転送するために使用されるチャネルと分離されるか、他のチャネルを用いて全体端末にスケジューリング命令を転送することも可能である。
【００３８】
当該スケジューリング命令には、パケット転送許諾または禁止に関する情報を含むことができる。言い換えれば、基地局でチャネル状況を考慮してパケットの転送を許容するかを判断して端末に知らせることによって、チャネルでの不必要な混雑状況発生や資源不足などの問題点を緩和させ、全体システムの効率を向上させることができる。
【００３９】
本発明は、本発明の精神及び必須特徴を逸脱しない範囲で他の特定の形態に具体化できることは、当業者にとっては自明である。したがって、本発明の範囲は、添付された特許請求の範囲及びその均等物によって定められ、本発明の範囲内における全ての変更は、本発明に属するものとして理解すべきである。
【図面の簡単な説明】
【００４０】
【図１】時間軸によって配分されたスケジューリング割り当てチャネルを示す図である。
【図２】グループ化したスケジューリング割り当てチャネルを示す図である。
【図３】スケジューリング命令を転送する方法を決定する手続きを示す流れ図である。
【図１】
2007531453.tif 000003
【図２】
2007531453.tif 000004
【図３】
2007531453.tif 000005
【国際調査報告】
2007531453.tif 000006
2007531453.tif 000007
2007531453.tif 000008